(57)【要約】【課題】ディスプレイの破損，損傷を十分に防止することができる。【解決手段】スマートフォン２のディスプレイ２ａを用いないときには、保護カバー本体１１の裏面側の自己粘着性シート３１をディスプレイ２ａに貼着させることで、ディスプレイ２ａを保護する。スマートフォン２を誤って落としてしまった場合等にも、保護カバー本体１１の表面側のポッティング層３２が衝撃を緩和することでディスプレイ２ａの破損，損傷を防止することができる。ディスプレイ２ａを用いるときには、ディスプレイ２ａから保護カバー本体１１の裏面側の自己粘着性シート３１を剥離することにより、ディスプレイ２ａを露出させる。【選択図】図１
2014082689.tif 000002
【特許請求の範囲】
【請求項１】
ディスプレイを有する携帯電子機器を保護する保護カバーであって、
前記ディスプレイに貼着及び剥離が可能な自己粘着性シートと、
前記自己粘着性シート上の全面に形成されたポッティング層とを有することを特徴とする携帯電子機器の保護カバー。
【請求項２】
一端が前記保護カバーの上端と繋がれ、他端が前記携帯電子機器の背面で支持されて繋がれた紐状の複数の繋ぎ部を有することを特徴とする請求項１に記載の携帯電子機器の保護カバー。
【請求項３】
前記繋ぎ部は、前記ポッティング層を表面側に有することを特徴とする請求項２に記載の携帯電子機器の保護カバー。
【請求項４】
前記ポッティング層は、２液性のポリウレタン樹脂で形成されたことを特徴とする請求項１乃至３のいずれか１項に記載の携帯電子機器の保護カバー。
【請求項５】
前記自己粘着性シートは、透明であることを特徴とする請求項１乃至４のいずれか１項に記載の携帯電子機器の保護カバー。
【請求項６】
前記自己粘着性シートの表面にはデザイン印刷を施すことが可能であることを特徴とする請求項１乃至４のいずれか１項に記載の携帯電子機器の保護カバー。
【発明の詳細な説明】
【技術分野】
【０００１】
本発明は、ディスプレイを有する携帯電子機器の保護カバーに関する。
【背景技術】
【０００２】
ディスプレイを有する例えば携帯電話機，スマートフォン等の携帯電子機器において、ディスプレイの破損，損傷などを防止するために保護カバーが用いられることがある。このような保護カバーの一例として、特許文献１に示すように、スマートフォンのディスプレイに貼着して固定する薄い保護フィルムがある。この保護カバーの外側表面には複数の凸部が形成されている。スマートフォンをディスプレイを下側にして机などに置いても、保護カバーの凸部のみが机などに接触することにより、保護カバーの外側表面が擦れにくくなる。
【先行技術文献】
【特許文献】
【０００３】
【特許文献１】登録実用新案第３１７４０５３号公報
【発明の概要】
【発明が解決しようとする課題】
【０００４】
しかしながら、上述した保護カバーでは、スマートフォン等の携帯電子機器を誤って落としてしまった場合などには衝撃を緩和しきれずに、ディスプレイが破損，損傷してしまうおそれがあった。
【０００５】
本発明は、上記実情に鑑みてなされたものであり、ディスプレイの破損，損傷を十分に防止することができる携帯電子機器の保護カバーを提供することを目的とする。
【課題を解決するための手段】
【０００６】
上記目的を達成するため、本発明の携帯電子機器の保護カバーは、
ディスプレイを有する携帯電子機器を保護する保護カバーであって、
前記ディスプレイに貼着及び剥離が可能な自己粘着性シートと、
前記自己粘着性シート上の全面に形成されたポッティング層とを有することを特徴とする。
【０００７】
また、一端が前記保護カバーの上端と繋がれ、他端が前記携帯電子機器の背面で支持されて繋がれた複数の紐状の繋ぎ部を有するようにしてもよい。
【０００８】
また、前記繋ぎ部は、ポッティング層を表面側に有するようにしてもよい。
【０００９】
また、前記ポッティング層は、２液性のポリウレタン樹脂で形成されるようにしてもよい。
【００１０】
また、前記自己粘着性シートは、透明であるようにしてもよい。
【００１１】
また、前記自己粘着性シートの表面にはデザイン印刷を施すことが可能であるようにしてもよい。
【発明の効果】
【００１２】
本発明によれば、ディスプレイの破損，損傷を十分に防止することができる携帯電子機器の保護カバーを提供することができる。
【図面の簡単な説明】
【００１３】
【図１】本発明の実施形態に係る携帯電子機器の保護カバー及び携帯電子機器の構成を表す斜視図である。
【図２】図１に表した保護カバー及び携帯電子機器の構成を表す正面図である。
【図３】図１に表した保護カバー及び携帯電子機器の構成を表す側面図である。
【図４】図１に表した保護カバー及び携帯電子機器の構成を表す背面図である。
【図５】図１に表した保護カバー及び携帯電子機器において保護カバー本体をディスプレイから剥離した状態の構成を表す斜視図である。
【発明を実施するための形態】
【００１４】
本発明の実施の形態に係る携帯電子機器の保護カバーについて、以下図面を参照して説明する。
本実施の形態に係る携帯電子機器の保護カバーは、スマートフォンのディスプレイなどを保護する保護カバーである。
【００１５】
保護カバー１は、スマートフォン２のディスプレイ２ａを保護するためのシート状の保護カバー本体１１と、保護カバー本体１１の上端から延設された２本の紐状の繋ぎ部１２と、繋ぎ部１２の端をスマートフォン２の背面２ｂの上方で支持する２つの支持部１３と、保護カバー本体１１の摘み部１４とを備えている。
【００１６】
保護カバー１は、保護カバー本体１１，繋ぎ部１２，支持部１３及び摘み部１４の全体が、図３に示すように、自己粘着性シート３１と、自己粘着性シート３１上に形成されたポッティング層３２により構成される。すなわち、保護カバー１は、表面側が透明なポッティング層３２、裏面側が自己粘着性シート３１により構成される。
【００１７】
自己粘着性シート３１は、粘着剤を用いることなく、繰り返して貼着及び剥離が可能なシートである。自己粘着性シート３１としては、例えば、ゲルポリ（登録商標、パナック株式会社製）、スタンピー（登録商標、リンテック株式会社製）、ＤＳ吸着ターポリン（株式会社シード製）等を用いることができる。自己粘着性シート３１の表面には、絵，文字，模様，図形，写真，画像等のデザインを印刷することが可能である。本実施の形態では、自己粘着性シート３１の表面に波線のデザイン印刷を施している。
【００１８】
ポッティング層３２は、自己粘着性シート３１上全体にポッティング剤を盛ることにより、表面張力の作用で曲面状に形成された層である。ポッティング剤としては、弾性、耐光性等が優れたものが選択され、例えば２液性のポリウレタン樹脂が用いられる。
【００１９】
シート状の保護カバー本体１１は、裏面側の自己粘着性シート３１により、繰り返して、スマートフォン２のディスプレイ２ａに貼着させること、および、ディスプレイ２ａから剥離させることができる。保護カバー本体１１は、図１及び図２に示すように、貼着時に少なくともディスプレイ２ａの表示窓を覆うことができる大きさに形成されている。なお、保護カバー本体１１は、スマートフォン２の前面２ｅに配設された操作キー２ｄを避けるように貼着される。
【００２０】
スマートフォン２のディスプレイ２ａを用いないときには、保護カバー本体１１の裏面側の自己粘着性シート３１をディスプレイ２ａに貼着させることで、ディスプレイ２ａを保護する。スマートフォン２を誤って落としてしまった場合等にも、保護カバー本体１１の表面側のポッティング層３２が衝撃を緩和することでディスプレイ２ａの破損，損傷を防止することができる。
【００２１】
スマートフォン２のディスプレイ２ａを用いるときには、図５に示すように、ディスプレイ２ａから保護カバー本体１１の自己粘着性シート３１を剥離することにより、ディスプレイ２ａを露出させる。
【００２２】
紐状の繋ぎ部１２は、図３及び図４に示すように、スマートフォン２の上方で、保護カバー本体１１とスマートフォン２との間を支持部１３を介して繋ぐ。繋ぎ部１２は、一端が保護カバー本体１１の上端と繋がれ、他端が支持部１３を介してスマートフォン２の背面２ｂに支持されて繋がれる。繋ぎ部１２は、保護カバー本体１１がスマートフォン２のディスプレイ２ａに貼着された状態では、スマートフォン２の上面２ｃをまたいで保護カバー本体１１とスマートフォン２の背面２ｂとの間を繋ぎ、保護カバー本体１１がスマートフォン２のディスプレイ２ａから剥離された状態でも、図５に示すように、保護カバー本体１１とスマートフォン２の背面２ｂとの間が繋がれた状態を保つ。
【００２３】
繋ぎ部１２は、一方の端が支持部１３によりスマートフォン２の背面２ｂで支持され、固定されているので、保護カバー本体１１をディスプレイ２ａ上に貼着させる際の位置合わせの役割を果たす。すなわち、保護カバー本体１１の貼着，剥離を繰り返しても、保護カバー１１は支持部１３で支持された繋ぎ部１２を介してスマートフォン２と繋がっているので、ディスプレイ２ａ上に確実に貼着させることができる。
【００２４】
また、繋ぎ部１２も表面側がポッティング層３２により構成されているので、スマートフォン２を誤って落としてしまった場合等にスマートフォン２の上面２ｃ側の破損，損傷を防止することができる。
【００２５】
支持部１３は、スマートフォン２の背面２ｂに配設される。支持部１３の裏面側には、図３に示すように、雌型の面ファスナー４１が設けられている。スマートフォン２の背面２ｂの上方には、雄型の面ファスナー４２が設けられている。雌型の面ファスナー４１を雄型の面ファスナー４２に係合させることにより、支持部１３はスマートフォン２の背面２ｂの上方に固定され、繋ぎ部１２を支持する。なお、保護カバー１を洗浄する際などには、雌型の面ファスナー４１を雄型の面ファスナー４２との係合を外すことにより、保護カバー１をスマートフォン２から取り外すことができる。
【００２６】
また、支持部１３も表面側がポッティング層３２により構成されているので、スマートフォン２を誤って落としてしまった場合等にスマートフォン２の背面２ｂ側の破損，損傷を防止することができる。
【００２７】
摘み部１４は、保護カバー本体１１の下端から突設されている。摘み部１４を摘まむと、保護カバー本体１１の貼着，剥離が容易になる。摘み部１４には、ストラップ等を取り付けるための孔１４ａが形成されている。
【００２８】
このように本実施の形態の携帯電子機器の保護カバーでは、ディスプレイ２ａを保護するシート状の保護カバー本体１１の表面側を、従来の保護カバーよりも肉厚が厚く、弾性を有するポッティング層３２により構成するようにしたので、スマートフォン２を誤って落としてしまった場合等であっても、保護カバー本体１１により衝撃が緩和され、ディスプレイ２ａが破損，損傷してしまうことを十分に防止できる。また、スマートフォン２をズボンのポケットの中に入れた状態で座ってしまいディスプレイ２ａに強い力がかかるような場合等であっても、ポッティング層３２によりディスプレイ２ａを十分に保護することができる。また、机の上等にディスプレイ２ａを下側にしてスマートフォン２を載置した場合でも、ポッティング層３２が滑り止めとなり、机等から落下することを防止できる。また、ポッティング層３２によりディスプレイ２ａに傷がつくことを防止できる。
【００２９】
また、本実施の形態の携帯電子機器の保護カバーでは、ディスプレイ２ａを保護するシート状の保護カバー本体１１の裏面側を自己粘着性シート３１により構成するようにしたので、ディスプレイ２ａを用いないときには、ディスプレイ２ａに保護カバー本体１１を貼着することによりディスプレイ２ａを保護し、ディスプレイ２ａを用いるときには、ディスプレイ２ａから保護カバー本体１１を剥離することを繰り返し行うことができる。
【００３０】
また、本実施の形態の携帯電子機器の保護カバーでは、自己粘着性シート３１の表面にデザイン印刷を施すことが可能であり、ポッティング層３２により立体感を創出することができるので、装飾効果を得ることができる。また、デザイン印刷を施した自己粘着性シート３１により、プライバシー保護のためにディスプレイ３１により表示される情報を隠すこともできる。
【００３１】
また、本実施の形態の携帯電子機器の保護カバーでは、スマートフォン２の背面２ａで支持された繋ぎ部１２を有するようにしたので、保護カバー１１の貼着，剥離を繰り返しても、保護カバー本体１１をディスプレイ２ａ上に貼着する際に位置合わせを行うことができ、保護カバー本体１１がディスプレイ２ａからずれて貼着されてしまうことを防止できる。
【００３２】
また、本実施の形態の携帯電子機器の保護カバーでは、繋ぎ部１２及び支持部１３の表面側もポッティング層３２により構成するようにしたので、スマートフォン２の上面２ｃ側及び背面２ｂ側の破損，損傷を防止することもできる。
【００３３】
以上、実施の形態を挙げて本発明を説明したが、本発明は上記実施の形態に限定されるものではなく、種々変形が可能である。例えば、上記実施の形態では、保護カバー１が繋ぎ部１２，支持部１３及び摘み部１４を有する例について説明したが、繋ぎ部１２，支持部１３及び摘み部１４は必ずしも必要ではなく、シート状の保護カバー本体１１のみを有するようにしてもよい。
【００３４】
また、上記実施の形態では、スマートフォン２を保護カバー１により保護する例について説明したが、本発明はディスプレイを有する携帯電子機器であれば適用することが可能であり、スマートフォンの他に、例えば、携帯電話機、タブレット型のパーソナルコンピュータ、PDA(Personal Digital Assistant)、ノート型のパーソナルコンピュータにも適用することが可能である。この場合には、保護カバー本体１１は、それぞれのディスプレイの表示窓の形状を覆うような形状に形成する。
【００３５】
また、上記実施の形態では、保護カバー１全体を自己粘着性シート３１及びポッティング層３２により構成される例について説明したが、保護カバー本体１１のみを自己粘着性シート３１及びポッティング層３２により構成するようにしてもよい。繋ぎ部１２及び支持部１３には、自己粘着性シート３１を必ずしも用いる必要はなく、例えば、自己粘着性を有さない樹脂シート等にポッティング層３２を形成するようにしてもよい。
【００３６】
また、上記実施の形態では、保護カバー１が２本の紐状の繋ぎ部１２を有する例について説明したが、３本以上の紐状の繋ぎ部を有するようにしてもよい。また、繋ぎ部１２は保護カバー本体１１と一体に形成する必要はなく、それぞれを別々に形成するようにしてもよい。
【００３７】
また、上記実施の形態では、支持部１３が雌型の面ファスナー４１を雄型の面ファスナー４２に係合させることによりスマートフォン２に固定される例について説明したが、支持部１３をスマートフォン２に固定するのに面ファスナー以外にもボタン，線ファスナー等を用いてもよい。また、支持部１３をスマートフォン２から必ずしも取り外し可能とする必要はなく、両面テープ等を用いて支持部１３をスマートフォン２に強固に固定するようにしてもよい。
【００３８】
また、上記実施の形態では、保護カバー本体１１の裏面側の自己粘着性シート３１が不透明であり、表面にデザイン処理を施した例について説明したが、デザイン処理を必ずしも施す必要はない。また、透明な自己粘着性シート３１を用いるようにしてもよい。この場合には、透明な自己粘着性シート３１の上に透明なポッティング層３２が形成されるので、ディスプレイ２ａに自己粘着性シート３１を貼着してディスプレイ２ａを保護している状態でも、ディスプレイ２ａで表示される情報を見ることができる。
【符号の説明】
【００３９】
１      保護カバー
１１    保護カバー本体
１２    繋ぎ部
１３    支持部
１４    摘み部
１４ａ  孔
２      スマートフォン
２ａ    ディスプレイ
２ｂ    背面
２ｃ    上面
２ｄ    操作キー
２ｅ    前面
３１    自己粘着性シート
３２    ポッティング層
４１    雌型の面ファスナー
４２    雄型の面ファスナー
【図１】
2014082689.tif 000003
【図２】
2014082689.tif 000004
【図３】
2014082689.tif 000005
【図４】
2014082689.tif 000006
【図５】
2014082689.tif 000007